【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
吸引チューブと収集チューブとの間に離脱可能に直列係合された収集装置であって、前記収集装置は、前記収集チューブに操作可能に係合された遠位端および前記吸引チューブに操作可能に係合された近位端を有し、前記収集装置の遠位端は前記収集装置の近位端に離脱可能に直列係合され、前記収集装置は、前記吸引チューブおよび前記収集チューブと同軸関係で前記収集装置を貫通する孔を画定し、前記孔は、前記吸引チューブと前記収集チューブとの間の流体連通を可能とするように構成される、収集装置と、  
前記収集装置の前記孔内に配置されかつ前記収集装置の近位端に位置しているスクリーンであって、前記吸引チューブに向かって、前記収集装置内に引き込まれた組織標本を保持するように構成され、前記収集チューブと前記吸引チューブとの間の流体連通を可能にする複数の開口を画定し、前記スクリーンは前記収集装置の近位端に位置しており、これによって、前記組織標本を伴うどのような流体も前記スクリーン内を通って分離され、前記吸引チューブ内に引き出され、その一方、前記組織標本は、それに伴ういかなる流体も実質的になく、前記収集装置の前記孔内の前記スクリーンによって保持される、スクリーンと、
を備えていることを特徴とする組織標本収集システム。
【請求項２】
前記収集装置は、前記遠位端を備える第１のセグメントと、前記近位端および前記スクリーンを備える第２のセグメントとに分離可能であるように構成され、これによって、前記第１のセグメントが前記第２のセグメントから分離されたとき、回収するために、前記保持された組織標本に手を伸ばすことが可能であることを特徴とする、請求項１に記載の組織標本収集システム。
【請求項３】
前記収集装置の近位端は、前記収集装置を前記吸引チューブに離脱可能に取り付ける逆棘付きフィッティングを備えていることを特徴とする、請求項１に記載の組織標本収集システム。
【請求項４】
前記収集装置の近位端は、前記収集装置を前記吸引チューブに離脱可能に係合するためのネジ面を備え、前記ネジ面は、種々の内径を有する吸引チューブを収容するように構成されていることを特徴とする、請求項１に記載の組織標本収集システム。
【請求項５】
前記スクリーンは前記収集装置の一部として一体に形成されていることを特徴とする、請求項１に記載の組織標本収集システム。
【請求項６】
前記スクリーンは前記収集装置の一部として成形されていることを特徴とする、請求項１に記載の組織標本収集システム。
【請求項７】
前記収集装置の前記近位端は、前記スクリーンから前記組織標本が回収されるように構成されていることを特徴とする、請求項１に記載の組織標本収集システム。
【請求項８】
前記第２のセグメントは、前記第１のセグメントから離脱されたとき、前記第２のセグメントが標本ジャー内に配置されるように構成されていることを特徴とする、請求項２に記載の組織標本収集システム。
【請求項９】
前記収集装置は、内視鏡に離脱可能に係合するように構成されていることを特徴とする、請求項１に記載の組織標本収集システム。
【請求項１０】
前記スクリーンは、実質的に平面であることを特徴とする、請求項１に記載の組織標本収集システム。
【請求項１１】
前記収集装置の前記遠位端に実質的に液密に密封係合するように構成された遠位端キャップをさらに備え、これによって、前記収集装置が前記吸引チューブと前記収集チューブとの間の直列係合から離脱されたとき、前記組織標本が前記スクリーンと前記遠位端キャップとの間において前記収集装置内に保持されるようになっていることを特徴とする、請求項１に記載の組織標本収集システム。
【請求項１２】
前記収集装置の前記近位端に実質的に液密に密封係合するように構成された近位端キャップをさらに備え、これによって、前記収集装置が前記吸引チューブと前記収集チューブとの間の直列係合から離脱されたとき、前記組織標本を保存するために、保存流体が前記遠位端キャップと前記近位端キャップとの間において前記収集装置内に保持されるようになっていることを特徴とする、請求項１１に記載の組織標本収集システム。
【請求項１３】
前記収集装置が前記吸引チューブと前記収集チューブとの間の直列係合から離脱されたとき、前記収集装置の前記近位端および前記遠位端の少なくとも１つに操作可能に係合するように構成された保存流体貯蔵容器をさらに備え、前記保存流体貯蔵容器は、前記収集装置の前記近位端および前記遠位端の少なくとも１つを受ける開口を画定し、前記保存流体を内部に収容するために、前記開口を実質的に密封するように構成された貫通可能な薄膜を備え、前記薄膜は、前記収集装置の前記近位端および前記遠位端の少なくとも１つによって貫通されるように構成され、これによって、前記保存流体が、前記収集装置に画定された孔内に放出され、前記収集装置内に保持された前記組織標本を保存するようになっていることを特徴とする、請求項１に記載の組織標本収集システム。
【請求項１４】
前記収集装置を前記吸引チューブと前記収集チューブとの間に離脱可能に直列係合するように構成されたマニホールド装置をさらに備えていることを特徴とする、請求項１に記載の組織標本収集システム。
【請求項１５】
前記マニホールド装置は、少なくとも１つの弁装置を備え、前記弁装置は、前記収集装置の前記遠位端と前記吸引チューブとの間に操作可能に係合され、前記収集装置を介して、前記収集チューブと前記吸引チューブとの間の流体連通を選択的に可能とすべく構成されていることを特徴とする、請求項１４に記載の組織標本収集システム。
【請求項１６】
前記マニホールド装置は、前記収集装置の前記近位端と前記吸引チューブとの間に流体連通する貯蔵容器を画定し、前記貯蔵容器は、前記組織標本を伴うどのような流体も前記吸引チューブ内に引き込まれ得るように、前記流体を受けるべく構成されていることを特徴とする、請求項１４に記載の組織標本収集システム。
【請求項１７】
前記マニホールド装置は、前記収集装置を前記吸引チューブと前記収集チューブとの間に離脱可能に直列係合させるように構成された少なくとも１つの実質的に弾性の構造体を備えていることを特徴とする、請求項１４に記載の組織標本収集システム。
【請求項１８】
前記少なくとも１つの実質的に弾性の構造体は、
前記収集装置の前記近位端および前記遠位端の少なくとも１つを受けるように構成された開口を画定する実質的に弾性のポリマーブロック、
前記収集装置の前記近位端および前記遠位端の少なくとも１つを受けるように構成された実質的に弾性のＣクリップ、および
その組合せ、
からなる群から選択されていることを特徴とする、請求項１７に記載の組織標本収集システム。
【請求項１９】
前記収集装置を前記貯蔵容器と前記収集チューブとの間に離脱可能に直列係合させるように構成されたカートリッジ装置であって、前記マニホールド装置の表面に画定されたカートリッジ室内に、前記マニホールド装置に対して第１の位置と第２の位置との間で選択的に移動可能であるように、摺動可能に配置されるカートリッジ装置をさらに備え、
前記カートリッジ装置が前記第１の位置にあるとき、前記収集装置の前記遠位端が前記収集チューブと直接的に流体連通し、
前記カートリッジ装置が前記第２の位置にあるとき、前記カートリッジ装置を取り外すために、前記収集装置に手を伸ばすことが可能となっていることを特徴とする、請求項１６に記載の組織標本収集システム。
【請求項２０】
前記マニホールド装置は、複数の収集装置を前記吸引チューブと前記収集チューブとの間に平行関係を保って離脱可能に直列係合させるように構成され、前記少なくとも１つの弁装置は、前記複数の収集装置の少なくとも１つを介して、前記収集チューブと前記吸引チューブとの間の流体連通を選択的に可能とすべく、さらに構成されていることを特徴とする、請求項１５に記載の組織標本収集システム。
【請求項２１】
前記マニホールド装置は、前記吸引チューブおよび前記収集チューブと同軸関係で前記マニホールド装置を貫通するバイパス孔を画定し、前記バイパス孔は、前記吸引チューブと前記収集チューブとの間の流体連通を可能とすべく構成され、前記少なくとも１つの弁装置は、前記収集装置をバイパスするために、前記バイパス孔を介して、前記収集チューブと前記吸引チューブとの間の流体連通を選択的に可能とすべく、さらに構成されていることを特徴とする、請求項１５に記載の組織標本収集システム。
【請求項２２】
前記収集装置は、前記組織標本収集システムのユーザが医学手術中に前記組織標本が引き出された解剖学的領域を識別するために、前記組織標本が引き出される解剖学的領域に対応する少なくとも１つの印を備えていることを特徴とする、請求項１に記載の組織標本収集システム。
【請求項２３】
前記少なくとも１つの印は、
アルファベット印、
色、
バーコード、
高周波識別（ＲＦＩＤ）装置、および
その組合せ、
からなる群から選択されていることを特徴とする、請求項２２に記載の組織標本収集システム。
【請求項２４】
前記収集装置を前記吸引チューブと前記収集チューブとの間に離脱可能に直列係合するように構成された管理装置をさらに備え、前記管理装置は、前記組織標本を保持する前記収集装置が前記吸引チューブと前記収集チューブとの間の直列係合から離脱されたときに前記収集装置を受けるために、複数の開口を画定し、前記複数の開口は、前記組織標本が引き出される解剖学的領域を示すために、解剖学的領域に対応する１つまたは複数の解剖学的印を備え、これによって、前記解剖学的領域が前記解剖学的印の少なくとも一部に基づいて識別可能となっていることを特徴とする、請求項１に記載の組織標本収集システム。
【請求項２５】
吸引チューブと収集チューブとの間に離脱可能に直列係合された収集装置を設けるステップであって、前記収集装置は、前記収集チューブに操作可能に係合された遠位端および前記吸引チューブに操作可能に係合された近位端を有し、前記収集装置の遠位端は前記収集装置の近位端に離脱可能に直列係合され、前記収集装置は、前記吸引チューブおよび前記収集チューブと同軸関係で前記収集装置を貫通する孔を画定し、前記孔は、前記吸引チューブと前記収集チューブとの間の流体連通を可能にするように構成され、前記収集装置は、前記孔内に配置されかつ前記収集装置の近位端によって保持されたスクリーンを備え、前記スクリーンは、前記吸引チューブに向かって、前記収集装置内に引き込まれた組織標本を保持するように構成され、前記スクリーンは、前記収集チューブと前記吸引チューブとの間の流体連通を可能にする複数の開口を画定し、前記収集装置は、前記収集装置の近位端と前記スクリーンの組合せの幾何学的内形を備え、それによって、前記組織標本を伴うどのような流体も前記スクリーン内を通って分離され、前記吸引チューブ内に引き出され、その一方、前記組織標本は、それに伴ういかなる流体も実質的になく、前記収集装置内の前記スクリーンによって保持される、ステップと、
前記収集装置の遠位端を前記収集チューブに操作可能に係合するステップと、
前記収集装置の近位端を前記吸引チューブに操作可能に係合するステップと、
前記吸引チューブによって、かつ前記吸引チューブに向かって、組織標本を前記収集チューブ内に引き込むステップと、
前記組織標本を伴うどのような流体も前記スクリーンを通して分離し、前記吸引チューブ内に引き出しながら、前記組織標本を前記スクリーン上に保持するステップと、
を含むことを特徴とする方法。
【請求項２６】
前記収集装置を、前記遠位端を備える第１のセグメントと前記近位端および前記スクリーンを備える第２のセグメントとに分離するステップと、
前記保持された組織標本を前記スクリーンから回収するステップと、
前記回収した組織標本を保存流体内に浸漬するステップと、
をさらに含むことを特徴とする、請求項２５に記載の方法。
【請求項２７】
前記収集装置が前記吸引チューブと前記収集チューブとの間の直列係合から離脱されたとき、遠位端キャップを前記収集装置の前記遠位端に実質的に液密に操作可能に係合させ、これによって、前記組織標本を前記スクリーンと前記遠位端キャップとの間において前記収集装置内に保持させるステップをさらに含むことを特徴とする、請求項２５に記載の方法。
【請求項２８】
前記収集装置が前記吸引チューブと前記収集チューブとの間の直列係合から離脱されたとき、近位端キャップを前記収集装置の前記近位端に実質的に液密に操作可能に係合させ、これによって、前記組織標本を前記遠位端キャップと前記近位端キャップとの間において前記収集装置内に保持させる、ステップと、
前記保持された組織標本を前記収集装置内に収容して研究所に輸送するステップと、
をさらに含むことを特徴とする、請求項２７に記載の方法。
【請求項２９】
前記保持された組織標本を前記研究所に輸送するとき、前記保持された組織標本を前記収集装置内に保存するために、前記近位端キャップを前記収集装置の前記近位端に操作可能に係合する前に、前記収集装置を保存流体で満たすことをさらに含むことを特徴とする、請求項２８に記載の方法。